(57)【要約】【課題】アルコール類を脱水素して得られる反応液から、反応液中に含有される５価の有機リン化合物を効率的に抜き出し、且つルテニウム錯体を工業的有利に分離、回収する方法を提供すること。【解決手段】有機リン化合物を配位子として有するルテニウム錯体触媒の存在下にアルコール類を脱水素してカルボニル化合物を生成させた反応液からのルテニウム錯体触媒の分離方法であって、アルコール類及びカルボニル化合物を除去する除去工程、非極性溶媒及び極性有機溶媒で抽出する抽出工程、並びに、ルテニウム錯体触媒がより多く分配された非極性溶媒相と５価の有機リン化合物がより多く分配された極性有機溶媒相とに相分離させる相分離工程を含むことを特徴とする。【選択図】　なし【特許請求の範囲】
【請求項１】
有機リン化合物を配位子として有するルテニウム錯体触媒の存在下にアルコール類を脱水素してカルボニル化合物を生成させた反応液からのルテニウム錯体触媒の分離方法であって、アルコール類及びカルボニル化合物を除去する除去工程、非極性溶媒及び極性有機溶媒で抽出する抽出工程、並びに、ルテニウム錯体触媒がより多く分配された非極性溶媒相と５価の有機リン化合物がより多く分配された極性有機溶媒相とに相分離させる相分離工程を含むことを特徴とする前記方法。
【請求項２】
非極性溶媒相と極性有機溶媒相とを相分離させた後、更に非極性溶媒相を分取し、分取した該非極性溶媒相から非極性溶媒を除去する工程を更に含む請求項１に記載の分離方法。
【請求項３】
非極性溶媒相から除去した非極性溶媒を前記抽出工程に戻す工程を更に含む請求項１又は２に記載の分離方法。
【請求項４】
相分離工程において、極性有機溶媒相に分配される５価の有機リン化合物が、ルテニウム錯体触媒の配位子としての有機リン化合物と生成物としてのカルボニル化合物との付加生成物である請求項１〜３のいずれか一項に記載の分離方法。
【請求項５】
相分離工程において、極性有機溶媒相に分配される５価の有機リン化合物が、ルテニウム錯体触媒の配位子としてのホスフィン化合物と生成物としてのエステル類の付加生成物である請求項１〜３のいずれか一項に記載の分離方法。
【請求項６】
ルテニウム錯体触媒の配位子としての有機リン化合物が、原料のアルコール類よりも高い沸点を有する請求項１〜５のいずれか一項に記載の分離方法。
【請求項７】
極性有機溶媒が、アルコール類である請求項１〜６のいずれか一項に記載の分離方法。
【請求項８】
極性有機溶媒が、２価のアルコールである請求項１〜７のいずれか一項に記載の分離方法。
【請求項９】
極性有機溶媒が、原料としてのアルコール類と同一である請求項１〜８のいずれか一項に記載の分離方法。
【請求項１０】
非極性溶媒が、炭化水素化合物である請求項１〜９のいずれか一項に記載の分離方法。
【請求項１１】
非極性溶媒が、炭素数５〜８の脂肪族炭化水素化合物である請求項１〜９のいずれかに記載の分離方法。
【請求項１２】
原料としてのアルコール類が１，４―ブタンジオールであり、カルボニル化合物がγ−ブチロラクトンである請求項１〜１１のいずれか一項に記載の分離方法。
【発明の詳細な説明】
【０００１】
【発明の属する技術分野】
本発明は、アルコール類を脱水素して得られる反応液から、触媒を分離する方法に関し、より詳細には、アルコール類を脱水素して得られる反応液から、錯体触媒と、有機リン化合物とカルボニル化合物の付加生成物である有機リン化合物とを分離する方法に関する。
【０００２】
【従来の技術】
有機リン化合物を配位子として有するルテニウム錯体は、均一系触媒反応による各種カルボニル化合物の水素化、各種アルコール類の脱水素化反応などに使用されている。このルテニウム錯体触媒は、化学的及び熱力学的に比較的安定であり、反応生成物と触媒液を蒸留により分離し、触媒液を反応域へ循環して再使用したり、あるいは反応生成物をガスストリッピングにより反応液から流出させて分離し、触媒液を反応域に残留させたままで連続的に反応を行わせることができる。
【０００３】
しかしながらこれらの反応においては種々の高沸点副生物が生成することが避けられず、これらの反応を連続的に実施する場合には触媒液中に高沸点物質が蓄積するため、触媒液の一部を連続的に又は間欠的に抜き出す必要がある。当然のことながら、この抜き出した液にはルテニウムが含まれているため、廃棄するためにはその処理が必要となる。
しかしながら、ルテニウムを含有する液は燃焼させると、有毒で腐食性の強いＲｕＯ４が生成するため、焼却処理は制限される。また、産業廃棄物理業者に処理を依頼すると、抜き出し液の質量見合いで費用がかかるため、量が多い場合経済的に不利になる。
【０００４】
従ってこの抜き出し液のルテニウムを濃縮できれば、その経済的効果は非常に大きい。更には、もしこの抜き出し液からルテニウム錯体を効率よく回収でき、これを反応に再利用できれば、廃液処理にかかる負担を大幅に軽減できる上、経済的にも触媒費を大幅に減ずることができ、また排出するルテニウムの絶対量が減るので環境汚染防止の上からも好ましく、その効果は絶大なものがある。
しかし、そのためには反応液から活性な形態を保持したまま錯体触媒を分離回収することが必要となる。
【０００５】
ルテニウム錯体の分離回収方法としては、塩基性物質を含む水溶液と非極性有機溶媒で抽出分離する方法（特開平７−３２３２３２号公報）が提案されている。しかしながら、上記手法は、有機カルボニル化合物を水素化する反応におけるものであり、この手法をアルコール類の脱水素反応からのルテニウム錯体の分離に適用した場合、ルテニウム触媒と、高沸点物質である５価の有機リン化合物との溶解性が酷似しているため、分離が非常に困難であり、有機リン化合物とカルボニル化合物の付加生成物を効果的に抜き出せないという問題点があることが判明した。
【０００６】
【発明が解決しようとしている課題】
本発明の課題は、有機リン化合物を配位子として有するルテニウム錯体を触媒として含むアルコール類の脱水素反応液から、反応液中に含有される５価の有機リン化合物を効率的に抜き出し、且つルテニウム錯体を工業的有利に分離、回収する方法を提供することにある。
【０００７】
【課題を解決するための手段】
本発明者等は鋭意検討を行った結果、特定の条件下で、非極性溶媒及び極性有機溶媒を用いて抽出することによって、反応液中に含有される５価の有機リン化合物を効率的に抜き出し、且つルテニウム錯体を工業的有利に分離、回収し得ることを見出し、本発明を完成するに至った。
【０００８】
即ち、本発明の要旨は下記（１）〜（１２）に存する。
（１）　有機リン化合物を配位子として有するルテニウム錯体触媒の存在下にアルコール類を脱水素してカルボニル化合物を生成させた反応液からのルテニウム錯体触媒の分離方法であって、アルコール類及びカルボニル化合物を除去する除去工程、非極性溶媒及び極性有機溶媒で抽出する抽出工程、並びに、ルテニウム錯体触媒がより多く分配された非極性溶媒相と５価の有機リン化合物がより多く分配された極性有機溶媒相とに相分離させる相分離工程を含むことを特徴とする前記方法。
【０００９】
（２）　非極性溶媒相と極性有機溶媒相とを相分離させた後、更に非極性溶媒相を分取し、分取した該非極性溶媒相から非極性溶媒を除去する工程を更に含む上記（１）に記載の分離方法。
（３）　非極性溶媒相から除去した非極性溶媒を前記抽出工程に戻す工程を更に含む上記（１）又は（２）に記載の分離方法。
【００１０】
（４）　相分離工程において、極性有機溶媒相に分配される５価の有機リン化合物が、ルテニウム錯体触媒の配位子としての有機リン化合物と生成物としてのカルボニル化合物との付加生成物である上記（１）〜（３）のいずれかに記載の分離方法。
（５）　相分離工程において、極性有機溶媒相に分配される５価の有機リン化合物が、ルテニウム錯体触媒の配位子としてのホスフィン化合物と生成物としてのエステル類の付加生成物である上記（１）〜（３）のいずれかに記載の分離方法。
【００１１】
（６）　ルテニウム錯体触媒の配位子としての有機リン化合物が、原料のアルコール類よりも高い沸点を有する上記（１）〜（５）のいずれかに記載の分離方法。
（７）　極性有機溶媒が、アルコール類である上記（１）〜（６）のいずれかに記載の分離方法。
【００１２】
（８）　極性有機溶媒が、２価のアルコールである上記（１）〜（７）のいずれかに記載の分離方法。
（９）　極性有機溶媒が、原料としてのアルコール類と同一である上記（１）〜（８）のいずれかに記載の分離方法。
【００１３】
（１０）　非極性溶媒が、炭化水素化合物である上記（１）〜（９）のいずれかに記載の分離方法。
（１１）　非極性溶媒が、炭素数５〜８の脂肪族炭化水素化合物である上記（１）〜（９）のいずれかに記載の分離方法。
【００１４】
（１２）　原料としてのアルコール類が１，４―ブタンジオールであり、カルボニル化合物がγ−ブチロラクトンである上記（１）〜（１１）のいずれかに記載の分離方法。
【００１５】
【発明の実施の形態】
本発明の方法は、有機リン化合物を配位子として有するルテニウム錯体触媒の存在下にアルコール類を脱水素してカルボニル化合物を生成させた反応液からのルテニウム錯体触媒の分離方法であって、アルコール類及びカルボニル化合物を除去する除去工程、非極性溶媒及び極性有機溶媒で抽出する抽出工程、並びに、ルテニウム錯体触媒がより多く分配された非極性溶媒相と５価の有機リン化合物がより多く分配された極性有機溶媒相とに相分離させる相分離工程を含むことを特徴とする。以下その詳細について説明する。
【００１６】
＜原料＞
本発明における原料としてのアルコール類（カルボニル化合物の原料としてのアルコール類）としては、１級又は２級の水酸基を有するものであればよく、　通常は炭素数５０以下、好ましくは１０以下の、飽和又は不飽和の、１価又は多価アルコール、好ましくは２価のアルコールが用いられる。また、アルコールには置換基が結合していてもよい。
【００１７】
原料として用いられるアルコールのいくつかを例示すると、メタノール、エタノール、１−プロパノール、２−プロパノール、１−ブタノール、２−ブタノール、１−ペンタノール、２−ペンタノール、３−ペンタノール、１−ヘキサノール、２−ヘキサノール、３−ヘキサノール、１−ヘプタノール、２−ヘプタノール、３−ヘプタノール、４−ヘプタノール、１−オクタノール、２−オクタノール、３−オクタノール、４−オクタノール、１−ノナノール、２−ノナノール、３−ノナノール、４−ノナノール、５−ノナノール、１−デカノール、２−デカノール、３−デカノール、４−デカノール、５−デカノール、アリルアルコール、１−ブテノール、２−ブテノール、１−ペンテノール、２−ペンテノール、１−ヘキセノール、２−ヘキセノール、３−ヘキセノール、１−ヘプテノール、２−ヘプテノール、３−ヘプテノール、１−オクテノール、２−オクテノール、３−オクテノール、４−オクテノール、１−ノネノール、２−ノネノール、３−ノネノール、４−ノネノール、１−デセノール、２−デセノール、３−デセノール、４−デセノール、５−デセノール、シクロヘキサノール、シクロペンタノール、シクロヘプタノール、１−フェネチルアルコール、２−フェネチルアルコール、メタノールアミン、エタノールアミン、１，３−プロパンジオール、１，４−ブタンジオール、２，４−ペンタンジオール、１，６−ヘキサンジオール、１，２−シクロヘキサンジメチロール、１，３−シクロヘキサンジメチロール、１−ヒドロキシメチル−２−ヒドロキシエチルシクロヘキサン、１−ヒドロキシ−２−ヒドロキシプロピルシクロヘキサン、１−ヒドロキシ−２−ヒドロキシエチルシクロヘキサン、１−ヒドロキシメチル−２−ヒドロキシエチルベンゼン、１−ヒドロキシ−２−ヒドロキシプロピルベンゼン、１−ヒドロキシ−２−ヒドロキシエチルベンゼン等が挙げられる。
反応速度の観点から、２個の１級水酸基が炭素数３〜６の炭素鎖で結合されている２価アルコールが好ましく、特に好ましくは１，４−ブタンジオール又は１，５−ペンタンジオールである。
【００１８】
＜触媒＞
本発明において、脱水素反応に使用する触媒は、有機リン化合物配位子を有するルテニウム錯体触媒であり、有機リン化合物としては、ホスファイト、ホスフィン等が挙げられるが、ホスフィンが好ましく、ホスフィンとしては、少なくとも１つのアルキルを有するホスフィンが好ましい。特に好ましくはリンの置換基が全てアルキルである有機ホスフィンであり、原料としてのアルコールよりも高い沸点を有するのが好ましい。
本発明において、配位子の有機リン化合物は、単座、複座及び環状のいずれであってもよい。
【００１９】
以下、本発明において特に好ましい、ホスフィンを配位子として有する触媒について説明する。
尚、ホスフィンの置換基のアルキル基は、直鎖状、分岐状、環状のいずれであってもよく、通常炭素数１〜２０の、好ましくは炭素数４〜１０のアルキル基であり、例えばメチル基、エチル基、プロピル基、ブチル基、ヘキシル基、オクチル基、デシル基、ベンジル基、シクロヘキシル基等が挙げられる。
また、ホスフィンの置換基としてはアリール基を有することができ、該アリール基としては、通常炭素数６〜２４の、好ましくは炭素数６〜１２のアリールであり、例えばフェニル、ナフチル、トリル、キシリル等が挙げられる。
【００２０】
有機ホスフィンが、単座の場合、例えば、以下の化合物が挙げられる。中でも、下記（ｉｉｉ）の３つのアルキル基を置換基として有する、トリアルキルホスフィン配位子が好ましい。
（ｉ）１つのアルキル基と２つのアリール基を置換基として有する単座ホスフィン配位子：具体的には、ジフェニルメチルホスフィン、ジフェニルエチルホスフィン、ジフェニルプロピルホスフィン、ジフェニルブチルホスフィン、ジフェニルヘキシルホスフィン、ジフェニルオクチルホスフィン、ジフェニルベンジルホスフィン、ジトリルメチルホスフィン、ジトリルエチルホスフィン、ジトリルブチルホスフィン、ジ（フルオロフェニル）メチルホスフィン、ジ（クロロフェニル）メチルホスフィン、ジ（ブロモフェニル）メチルホスフィン、ジキシリルメチルホスフィン、ジ（メトキシフェニル）メチルホスフィン、ジ（ヒドロキシフェニル）メチルホスフィン、ジ（アミノフェニル）メチルホスフィン、ジナフチルメチルホスフィン、フェニルトリルメチルホスフィン等が挙げられる。
【００２１】
（ｉｉ）２つのアルキル基と１つのアリール基を置換基として有する単座ホスフィン配位子：具体的には、ジメチルフェニルホスフィン、ジエチルフェニルホスフィン、ジプロピルフェニルホスフィン、ジブチルフェニルホスフィン、ジペンチルフェニルホスフィン、ジヘキシルフェニルホスフィン、ジオクチルフェニルホスフィン、ジベンジルフェニルホスフィン、ジメチルトリルホスフィン、ジエチルトリルホスフィン、ジブチルトリルホスフィン、ジオクチルトリルホスフィン、ジメチル（フルオロフェニル）ホスフィン、ジメチル（クロロフェニル）ホスフィン、ジメチル（ブロモフェニル）ホスフィン、ジメチルキシリルホスフィン、ジメチル（メトキシフェニル）ホスフィン、ジメチル（ヒドロキシフェニル）ホスフィン、ジメチル（アミノフェニル）ホスフィン、ジメチルナフチルホスフィン、メチルエチルフェニルホスフィン等が挙げられる。
【００２２】
（ｉｉｉ）３つのアルキル基を置換基として有する単座ホスフィン配位子：具体的には、トリデシルホスフィン、トリノニルホスフィン、トリオクチルホスフィン、トリヘプチルホスフィン、トリヘキシルホスフィン、トリペンチルホスフィン、トリブチルホスフィン、トリプロピルホスフィン、トリエチルホスフィン、トリメチルホスフィン、ジメチルオクチルホスフィン、ジオクチルメチルホスフィン、ジメチルヘプチルホスフィン、ジヘプチルメチルホスフィン、ジメチルヘキシルホスフィン、ジヘキシルメチルホスフィン、ジメチルペンチルホスフィン、ジペンチルメチルホスフィン、ジメチルブチルホスフィン、ジブチルメチルホスフィン、トリシクロヘキシルホスフィン、トリベンジルホスフィン、ジメチルシクロヘキシルホスフィン、ジシクロヘキシルメチルホスフィン等が挙げられる。
【００２３】
また、有機ホスフィンが、２座の場合、下記構造式（Ｉ）で表されるアルキル鎖の両端にリン原子が結合した有機ホスフィン配位子が挙げられる。
【００２４】
【化１】
2004033798.tif 000002
【００２５】
（式（Ｉ）中、Ａ、Ｂ、Ｃ及びＤは、アリール基又はアルキル基を表し、Ｙはアルキル鎖を表す。）
【００２６】
即ち、Ａ、Ｂは２つともアリール基（同じでも異なってもよい）、２つともアルキル基（同じでも異なってもよい）、又は一方がアリール基で他方がアルキル基である。Ｃ、Ｄに関しても同様の構造をとる。
Ｙは、アルキル鎖を表し、炭素数は通常１〜８であり、好ましくは１〜４であり、最も好ましくは２である。アルキル鎖は置換基を有していても、分岐していてもよい。
２座の場合、例えば、以下の化合物が挙げられる。中でも、下記（ｉｖ）の各リン原子の２つの置換基の両方がアルキルであるホスフィン配位子が好ましい。
【００２７】
（ｉｖ）各リン原子の２つの置換基の両方がアルキルである２座のホスフィン配位子：具体的には、１、２−ビス（ジメチルホスフィノ）エタン、１、３−ビス（ジメチルホスフィノ）プロパン、１、４−ビス（ジメチルホスフィノ）ブタン、１、２−ビス（ジオクチルホスフィノ）エタン、１、３−ビス（ジオクチルホスフィノ）プロパン、１、４−ビス（ジオクチルホスフィノ）ブタン、１、２−ビス（ジヘキシルホスフィノ）エタン、１、３−ビス（ジヘキシルホスフィノ）プロパン、１、４−ビス（ジヘキシルホスフィノ）ブタン、１、２−ビス（ジブチルホスフィノ）エタン、１、３−ビス（ジブチルホスフィノ）プロパン、１、４−ビス（ジブチルホスフィノ）ブタン等が挙げられる。
【００２８】
（ｖ）各リン原子の２つの置換基の両方がアリール、若しくは、一つのリン原子に対して一方がアルキルでかつ他方がアリールである２座のホスフィン配位子：具体的には、ビス（ジフェニルホスフィノ）メタン、１，２−ビス（ジフェニルホスフィノ）エタン、１，３−ビス（ジフェニルホスフィノ）プロパン、１，２−ビス（ジフェニルホスフィノ）プロパン、１，４−ビス（ジフェニルホスフィノ）ブタン、１，１‘−ビス（ジフェニルホスフィノ）フェロセン、１，２−ビス（ジトリルホスフィノ）エタン、１，２−ビス（ジフルオロフェニルホスフィノ）エタン、１，２−ビス（ジクロロフェニルホスフィノ）エタン、１，２−ビス（ジブロモフェニルホスフィノ）エタン、１，２−ビス（ジナフチルホスフィノ）エタン、１，２−ビス（ジメトキシフェニルホスフィノ）エタン、１，２−ビス（ジヒドロキシフェニルホスフィノ）エタン、１，２−ビス（ジアミノフェニルホスフィノ）エタン、１，２−ビス（メチルフェニルホスフィノ）エタン、１、２−ビス（エチルフェニルホスフィノ）エタン、１，２−ビス（ブチルフェニルホスフィノ）エタン、１，２−ビス（シクロヘキシルフェニルホスフィノ）エタン、ビス（メチルフェニルホスフィノ）メタン、１、３−（メチルフェニルホスフィノ）プロパン等が挙げられる。
【００２９】
上記した有機ホスフィンの内、（ｉｉｉ）及び（ｉｖ）のホスフィンが好ましく、特には１級のアルキル基を持つトリアルキルホスフィン（単座の場合）、及び１級のアルキル基を持つ各リン原子の２つの置換基の両方がアルキルである２座のホスフィン配位子が好ましく、有機リン化合物の沸点の観点から、特に好ましくは炭素数４〜１０のアルキル基を置換基として有するホスフィン配位子であり、さらに好ましくはトリオクチルホスフィンである。
本発明で使用する触媒中の、配位子のアルキル基はノルマル体、イソ体、及びその混合物でも差し支えない。
【００３０】
尚、これらホスフィンの置換基のアルキル基、アリール基、及び、アルキル鎖は、更に置換基を有していてもよく、例えばハロゲン原子（塩素、臭素、フッ素等）、アミノ基、アルコキシル基（好ましくは炭素数１〜１０）、ヒドロキシル基、等が挙げられる。
【００３１】
本発明で用いられるルテニウム錯体触媒に含有されるルテニウムの供給形態としては、金属及び化合物のいずれもが可能である。ルテニウム化合物として酸化物、水酸化物、無機酸塩、有機酸塩、あるいは錯化合物等が使用される。
具体的には二酸化ルテニウム、四酸化ルテニウム、水酸化ルテニウム、三塩化ルテニウム、三臭化ルテニウム、三沃化ルテニウム、硝酸ルテニム、酢酸ルテニウム、トリス（アセチルアセトナト）ルテニウム、トリス（ヘキサフルオロアセチルアセトナト）ルテニウム、ジメチルブタジエンアセチルアセトナトルテニウム、トリス（２，２，６，６−テトラメチル−３，５−ヘプタンジオナト）ルテニウム、テトラカルボニルルテニウム酸ジカリウム、ペンタカルボニルルテニウム、シクロペンタジエニルジカルボニルルテニウム、ジブロモトリカルボニルルテニウム、ビス（トリ−ｎ−ブチルホスフィン）トリカルボニルルテニウム、テトラヒドリドデカカルボニルテトラルテニウム、ドデカカルボニルトリルテニウム、オクタデカカルボニルヘキサルテニウム酸ジセシウム、ウンデカカルボニルヒドリドトリルテニウム酸テトラフェニルホスフォニウム、ジメチルブタジエンアセチルアセトナトルテニウム等が挙げられ、特に好ましくは、トリス（アセチルアセトナト）ルテニウム、トリス（ヘキサフルオロアセチルアセトナト）ルテニウム、ジメチルブタジエンアセチルアセトナトである。
【００３２】
本発明で使用され得るルテニウム錯体触媒は以下の通りである。
（ｉ）１つのアルキル基と２つのアリール基を置換基として有する単座ホスフィン配位子を有するルテニウム錯体としては、具体的には、ビス（アセチルアセトナト）ビス（ジフェニルメチルホスフィン）ルテニウム、ビス（アセチルアセトナト）ビス（ジフェニルエチルホスフィン）ルテニウム、ビス（アセチルアセトナト）ビス（ジフェニルブチルホスフィン）ルテニウム、ビス（アセチルアセトナト）ビス（ジフェニルオクチルホスフィン）ルテニウム、ビス（アセチルアセトナト）ビス（ジナフチルメチルホスフィン）ルテニウム、ジヒドリドテトラキス（ジフェニルメチルホスフィン）ルテニウム、ジヒドリドテトラキス（ジフェニルエチルホスフィン）ルテニウム、ジヒドリドテトラキス（ジフェニルブチルホスフィン）ルテニウム、ジヒドリドテトラキス（ジフェニルオクチルホスフィン）ルテニウム、ジヒドリドテトラキス（ジナフチルメチルホスフィン）ルテニウム等が挙げられる。
【００３３】
また、（ｉｉ）２つのアルキル基と１つのアリール基を置換基として有する単座ホスフィン配位子を有するルテニウム錯体としては、具体的に、ビス（アセチルアセトナト）ビス（ジメチルフェニルホスフィン）ルテニウム、ビス（アセチルアセトナト）ビス（ジエチルフェニルホスフィン）ルテニウム、ビス（アセチルアセトナト）ビス（ジブチルフェニルホスフィン）ルテニウム、ビス（アセチルアセトナト）ビス（ジオクチルフェニルホスフィン）ルテニウム、ビス（アセチルアセトナト）ビス（ジメチルナフチルホスフィン）ルテニウム、ジヒドリドテトラキス（ジメチルフェニルホスフィン）ルテニウム、ジヒドリドテトラキス（ジエチルフェニルホスフィン）ルテニウム、ジヒドリドテトラキス（ジブチルフェニルホスフィン）ルテニウム、ジヒドリドテトラキス（ジオクチルフェニルホスフィン）ルテニウム、ジヒドリドテトラキス（ジメチルナフチルホスフィン）ルテニウム等が挙げられる。
【００３４】
（ｉｉｉ）３つのアルキル基を置換基として有する単座ホスフィン配位子を有するルテニウム錯体としては、具体的に、ビス（アセチルアセトナト）ビス（トリメチルホスフィン）ルテニウム、ビス（アセチルアセトナト）ビス（トリエチルホスフィン）ルテニウム、ビス（アセチルアセトナト）ビス（トリプロピルホスフィン）ルテニウム、ビス（アセチルアセトナト）ビス（トリブチルホスフィン）ルテニウム、ビス（アセチルアセトナト）ビス（トリヘキシルホスフィン）ルテニウム、ビス（アセチルアセトナト）ビス（トリオクチルホスフィン）ルテニウム、ビス（アセチルアセトナト）ビス（ジオクチルメチルホスフィン）ルテニウム、ビス（アセチルアセトナト）ビス（ジオクチルシクロヘキシルホスフィン）ルテニウム、ジヒドリドテトラキス（トリメチルホスフィン）ルテニウム、ジヒドリドテトラキス（トリエチルホスフィン）ルテニウム、ジヒドリドテトラキス（トリプロピルホスフィン）ルテニウム、ジヒドリドテトラキス（トリブチルホスフィン）ルテニウム、ジヒドリドテトラキス（トリヘキシルホスフィン）ルテニウム、ジヒドリドテトラキス（トリオクチルホスフィン）ルテニウム、ジヒドリドテトラキス（トリデカニルホスフィン）ルテニウム等が挙げられ、好ましくはビス（アセチルアセトナト）ビス（トリオクチルホスフィン）ルテニウム、ジヒドリドテトラキス（トリオクチルホスフィン）ルテニウムである。
【００３５】
（ｉｖ）各リン原子の２つの置換基の両方がアルキルである２座のホスフィン配位子を有するルテニウム錯体としては、具体的に、ビス（アセチルアセトナト）ジメチルホスフィノエタンルテニウム、ビス（アセチルアセトナト）ジエチルホスフィノエタンルテニウム、ビス（アセチルアセトナト）ジブチルホスフィノエタンルテニウム、ビス（アセチルアセトナト）ジオクチルホスフィノエタンルテニウム、ジヒドリドビス（ジメチルホスフィノエタン）ルテニウム、ジヒドリドビス（ジエチルホスフィノエタン）ルテニウム、ジヒドリドビス（ジブチルホスフィノエタン）ルテニウム、ジヒドリドビス（ジオクチルホスフィノエタン）ルテニウムなどが挙げられる。
【００３６】
（ｖ）各リン原子の２つの置換基の両方がアリール、若しくは、一つのリン原子に対して一方がアルキルでかつ他方がアリールである２座のホスフィン配位子を有するルテニウム錯体としては、具体的に、ビス（アセチルアセトナト）（１，２−ビス（ジフェニルホスフィノ）エタン）ルテニウム、ビス（アセチルアセトナト）（１，３−ビス（ジフェニルホスフィノ）プロパン）ルテニウム、ビス（アセチルアセトナト）（１，４−ビス（ジフェニルホスフィノ）ブタン）ルテニウム、ジヒドリド（ビス（ジフェニルホスフィノ）メタン）ルテニウム、ジヒドリド（１，２−ビス（ジフェニルホスフィノ）エタン）ルテニウム、ジヒドリド（１，３−ビス（ジフェニルホスフィノ）プロパン）ルテニウム、ジヒドリド（１，４−ビス（ジフェニルホスフィノ）ブタン）ルテニウム等が挙げられる。
【００３７】
本発明の方法に使用される、リン化合物配位子を有するルテニウム触媒は、予め合成し、単離、精製して用いてもよいし、調製液をそのまま（単離、精製せずに）用いてもよいし、その前駆体をそれぞれ単独に反応系（即ち、原料であるアルコール）に添加して、反応系内で触媒を調製して使用してもよい。尚、予め触媒を合成する場合には、リン化合物をルテニウムよりも過剰に用いた方が、効率よく触媒を生成させることができる。
【００３８】
予め合成する方法としては、例えばルテニウム化合物と３価のアルキルホスフィンを水素雰囲気下で加熱する方法や、ルテニウム化合物と３価のアルキルホスフィンを不活性ガス雰囲気下で加熱する方法、アルコール溶媒中でルテニウム化合物と３価のアルキルホスフィンを加熱する方法、２価のルテニウム錯体をアルキルホスフィンで配位子交換する方法等が挙げられる。
【００３９】
ルテニウム化合物と有機ホスフィンとの混合比は、好ましくはルテニウム化合物に対して有機ホスフィンを通常１モル当量以上、より好ましくは２モル当量以上、最も好ましくは３モル当量以上であり、通常１０モル当量以下、好ましくは８モル当量以下である。ルテニウム化合物に対して有機ホスフィンの量が少なすぎると触媒の安定化を行うのに不足し、触媒がルテニウム金属として析出するために反応が停止してしまう傾向があり、また逆に多すぎると高価な有機ホスフィンを必要量以上に使用することとなり、経済的に不利となる。
【００４０】
＜生成物＞
本発明において「アルコール類を脱水素して生成されるカルボニル化合物」としては、ホルムアルデヒド、エタナール、プロパナール、ブタナール、ペンタナール、ヘキサナール、ヘプタナール、オクタナール、ノナナール、デカナール等のアルデヒド類、２−プロパノン、２−ブタノン、２−ペンタノン、３−ペンタノン、シクロヘキサノン等のケトン類、セチルアセトン等のジケトン類、ガンマブチロラクトン、バレロラクトン等のエステル類等が挙げられ、好ましくはガンマブチロラクトン及びバレロラクトンであり、特に好ましくはガンマブチロラクトンである。
【００４１】
＜脱水素反応＞
本発明において、アルコール類の脱水素反応は、通常は無溶媒で、すなわち反応原料及び生成物のカルボニル化合物、有機リン化合物とカルボニル化合物の付加体以外の溶媒を存在させずに行われるが、所望ならば他の溶媒を添加することもできる。
【００４２】
用いることができる他の溶媒としては、例えば、ジエチルエーテル、アニソール、テトラヒドロフラン、エチレングリコールジメチルエーテル、ジオキサンのエーテル類、酢酸メチル、酢酸ブチル、安息香酸ベンジル等のエステル類、ベンゼン、トルエン、エチルベンゼン、テトラリン等の芳香族炭化水素、ｎ−ヘキサン、ｎ−オクタン、シクロヘキサン等の脂肪族炭化水素、ジクロロメタン、トリクロロエタン、クロロベンゼン等のハロゲン化炭化水素、ニトロメタン、ニトロベンゼン等のニトロ化合物、Ｎ，Ｎ−ジメチルホルムアミド、Ｎ，Ｎ−ジメチルアセトアミド、Ｎ−メチルピロリドン等のカルボン酸アミド、ヘキサメチルリン酸トリアミド、その他のアミド類、Ｎ，Ｎ−ジメチルイミダゾリジノン等の尿素類、ジメチルスルホン等のスルホン類、ジメチルスルフォキシド等のスルフォキシド類、カプロラクトン等のラクトン類、テトラグライム、トリグライム等のポリエーテル類、ジメチルカーボネート、エチレンカーボネート等の炭酸エステル類等が挙げられ、これらの中で好ましくは、エーテル類及びポリエーテル類である。
【００４３】
本発明において反応液（有機リン化合物を配位子として有するルテニウム錯体触媒の存在下にアルコール類を脱水素してカルボニル化合物を生成させた反応液）とは、有機リン化合物を配位子として有するルテニウム錯体触媒とルテニウム錯体触媒に配位していない有機リン化合物、原料であるアルコール、生成物であるカルボニル化合物、有機リン化合物とカルボニル化合物の付加生成物等を含有する混合液である。反応液には、上記以外にも中間体である２−ヒドロキシテトラヒドロフランや副生物などを含有していても差し支えない。
【００４４】
アルコール類の脱水素反応の反応温度は、通常２０〜３５０℃、好ましくは１００〜３００℃、さらに好ましくは１５０〜２５０℃の範囲である。
【００４５】
触媒濃度は工業的に所望な活性を示す程度で良いが、通常、反応液中の濃度が反応溶液中のルテニウム金属として好ましくは０．００１〜１０．０重量％、より好ましくは０．０１〜３．０重量％となる量である。触媒濃度が高すぎると、触媒コスト増大により経済的に不利になり、また、低すぎると反応時間が長時間必要となることから著しく巨大な反応器が必要となるので好ましくない。
【００４６】
反応圧力は、反応系が液相に保たれる圧力であれば任意であるが、本発明のアルコール類の脱水素反応は、水素を生成する反応であるため、その水素を系外に抜き出しながら行うのが好ましく、大気圧下で開放系で行うことが好ましい。閉鎖系で行う場合には、雰囲気は窒素、アルゴン、ヘリウム、二酸化炭素などの不活性ガスが好ましい。反応は回分方式および連続方式でも行うことができる。
【００４７】
＜除去工程＞
本発明においては、有機リン化合物を配位子として有するルテニウム錯体触媒の存在下にアルコール類を脱水素してカルボニル化合物を生成させた反応液から、アルコール類及びカルボニル化合物を除去する除去工程を有する。ここで除去するアルコール類は、主に原料として用いたアルコール類が反応液中に残っているものであり、ここで除去するカルボニル化合物は、アルコール類を脱水素して得られたカルボニル化合物である。
尚、本発明においては、脱水素反応により生じた他の２量体のアルコール等もこの段階で除去してもよい。
【００４８】
この除去工程において、原料アルコール及び生成物は、任意の方法によって、例えばストリッピングや蒸留によって留去される。留去後の残留液には触媒が溶解しているので、回収して次回の反応に触媒として用いることができる。
【００４９】
反応液からアルコール類及びカルボニル化合物を除去した液には、原料としてのアルコールは、通常４０ｗｔ％以下、好ましくは３０ｗｔ％以下、最も好ましくは２０ｗｔ％以下含有されており、生成物としてのカルボニル化合物は、通常１０ｗｔ％以下、好ましくは５ｗｔ％以下、最も好ましくは３ｗｔ％以下含有されている。
また、反応液からアルコール類及びカルボニル化合物を除去した液には、カルボニル化合物と有機リン化合物との付加生成物や有機リン配位子など他の物質が含有されていても差し支えない。
【００５０】
＜抽出工程＞
本発明においては、上記除去工程において、一旦アルコール等を留去した状態で、非極性溶媒及び極性有機溶媒で抽出する抽出工程を有する。この抽出工程によって、ルテニウム錯体触媒は非極性溶媒相に移動させられ、また副生成物でありルテニウム錯体触媒との分離が望まれる５価の有機リン化合物（以下単に５価の有機リン化合物と呼ぶことがある）が極性有機溶媒相に移動させられ、回収したい触媒及び廃棄したい５価の有機リン化合物を効率的に分離することが可能となる。
【００５１】
本発明で用いられる非極性溶媒の種類としては、脂肪族炭化水素化合物、脂環式炭化水素化合物及び芳香族炭化水素化合物等の炭化水素化合物が挙げられ、好ましくは炭素数５〜１２の脂肪族炭化水素化合物、炭素数５〜１２の脂環式炭化水素化合物及び炭素数５〜１２の芳香族炭化水素化合物であり、特に好ましくは炭素数５〜８の脂肪族炭化水素化合物である。また、これら非極性溶媒は、置換基を有していてもよい。
【００５２】
使用可能な非極性溶媒としては、具体的には、ペンタン、ヘキサン、ヘプタン、オクタン、ノナン、デカン、シクロペンタン、シクロヘキサン、メチルシクロヘキサン、ベンゼン、トルエン、キシレン、ジエチルベンゼン、イソプロピルベンゼン等が挙げられるが、特にペンタン、ヘキサン、ヘプタン、オクタンなどの炭素数が５〜８の脂肪族炭化水素化合物が好ましい。
【００５３】
本発明で用いられている極性有機溶媒としては、アルコール類、ケトン類、エステル類などが挙げられる。また、これら極性有機溶媒は置換基を有していてもよい。
具体的な例としては、メタノール、エタノール、１−プロパノール、２−プロパノール、１−ブタノール、２−ブタノール、１−ペンタノール、２−ペンタノール、３−ペンタノール、１−ヘキサノール、２−ヘキサノール、３−ヘキサノール、１−ヘプタノール、２−ヘプタノール、３−ヘプタノール、４−ヘプタノール、１−オクタノール、２−オクタノール、３−オクタノール、４−オクタノール、１−ノナノール、２−ノナノール、３−ノナノール、４−ノナノール、５−ノナノール、１−デカノール、２−デカノール、３−デカノール、４−デカノール、５−デカノール、シクロペンタノール、シクロヘキサノール、シクロヘプタノール、１−フェネチルアルコール、２−フェネチルアルコール、エチレングリコール、１，３−プロパンジオール、１，４−ブタンジオール、１，５−ヘキサンジオール、１，６−ヘキサンジオール、アセトン、メチルエチルケトン、２−ペンタノン、３−ペンタノン、シクロヘキサノン、酢酸エチル等が挙げられるが経済性、安全性からアルコール類が好ましく、また副生成物でありルテニウム錯体触媒との分離が望まれる５価の有機リン化合物の溶解性からジオール、特に１，４−ブタンジオールが好ましい。
本発明においては、プロセス内への不純物の混入防止という観点から、極性有機溶媒が、原料としてのアルコール類と同一であることが好ましい。
【００５４】
抽出処理温度としては１０℃〜１２０℃の範囲であれば問題なく、５価の有機リン化合物の溶解度の観点から好ましくは２０℃〜９０℃の範囲である。
また、抽出時間としては１０分以上であれば差し支えないが、工業的に有利に行うためには５時間以内であり、好ましくは３時間以内である。
【００５５】
上記抽出工程において、「反応液からアルコール類及びカルボニル類を除去した液」と非極性溶媒及び極性有機溶媒との接触効率をあげるためには、攪拌を行うことが好ましい。
また、「反応液からアルコール類及びカルボニル類を除去した液」と非極性溶媒及び極性有機溶媒の使用量は、重量比で通常１：０．１〜１０：０．１〜５０の範囲であり、好ましくは１：０．１〜３：０．１〜１５の範囲である。また単抽出、多段抽出どちらでも差し支えない。
【００５６】
＜相分離工程＞
本発明においては、非極性溶媒及び極性有機溶媒で抽出した後に、ルテニウム錯体触媒がより多く分配された非極性溶媒相と、主として５価の有機リン化合物が分配された極性有機溶媒相とに相分離させる相分離工程工程を有する。
【００５７】
本発明において「ルテニウム錯体触媒がより多く分配された」とは、非極性溶媒相と極性有機溶媒相による２液相分離において、極性有機溶媒相よりも非極性溶媒相にルテニウム錯体触媒が質量的により多く含有されていることを指し、ルテニウム金属の重量比で非極性溶媒相と極性有機溶媒相の割合が通常８５：１５程度であり、好ましくは９０：１０程度、最も好ましくは９５：５程度である。
【００５８】
また、ルテニウム錯体触媒がより多く分配された液中には、ルテニウム錯体触媒の他にも、配位子としての有機リン化合物や５価の有機リン化合物など他の物質が含有されていても差し支えない。
尚、本発明において非極性溶媒中に分配されたルテニウム錯体触媒は、上記有機リン化合物、ルテニウム化合物あるいは上記ルテニウム錯体触媒を、原料アルコールと反応させた液に含有されるルテニウム錯体触媒のことであり、供給したルテニウム錯体と形態が変わっていても差し支えない。
【００５９】
また、「５価の有機リン化合物がより多く分配された」とは、非極性溶媒相と極性有機溶媒相による２液相分離において、非極性溶媒相よりも極性有機溶媒相に５価の有機リン化合物が質量的により多く含有されていることを指し、５価の有機リン化合物の重量比で非極性溶媒相と極性有機溶媒相の割合が通常４０：６０程度であり、好ましくは３０：７０程度、最も好ましくは２０：８０程度である。
尚、５価の有機リン化合物がより多く分配された液中には、５価の有機リン化合物の他にも、ルテニウム錯体触媒や配位子としての有機リン化合物など他の物質が含有されていても差し支えない。
【００６０】
本発明における５価の有機リン化合物としては、アルコール類が脱水素されたカルボニル化合物と有機リン化合物との付加生成物が挙げられる。具体的にはルテニウム錯体触媒の配位子としての有機リン化合物と生成物としてのカルボニル化合物の付加生成物、ルテニウム錯体触媒の配位子としてのホスフィン化合物と生成物としてのエステル類の付加生成物が挙げられる。最も好ましくは、ガンマブチロラクトンとトリアルキルホスフィンの付加生成物である。
【００６１】
具体的には有機リンとカルボニル化合物の付加生成物は、限定されるものではないが、下記一般式（ＩＩ）で表される化合物等が挙げられる。
【００６２】
【化２】
2004033798.tif 000003
【００６３】
（上記一般式（ＩＩ）中、Ｒ１、Ｒ２、Ｒ３はそれぞれ独立して、アルキル基又は水素を表し、ｎは１〜３の整数である。）
Ｒ１〜Ｒ３のアルキル基は、通常炭素数１〜２０、好ましくは炭素数４〜１０の、直鎖状、分岐状及び環状のアルキルであり、具体的には、ブチル、オクチル等が挙げられる。
また、ｎは、１であるのが好ましい。
【００６４】
＜その他の工程＞
本発明においては、ルテニウム錯体触媒が分配された非極性溶媒相と、主として５価の有機リン化合物が分配された極性有機溶媒相とに相分離させた後、該非極性溶媒相を分取し、更には、分取した該非極性溶媒相から非極性溶媒を除去する工程を有していてもよい。
【００６５】
非極性溶媒相を分取する方法としては、通常の２液相分離方法、例えば静置分離により方法が挙げられる。また、非極性溶媒及び極性有機溶媒の分離の観点から静置時間は１０分以上であれば差し支えないが、工業的に有利に行うためには５時間以内が好ましい。
【００６６】
また、分取した非極性溶媒相から非極性溶媒を除去する方法としては、ストリッピングや蒸留等が挙げられ、錯体触媒の熱分解抑制の観点から１４０℃以下での蒸留が好ましい。
なお、本発明において「非極性溶媒相から非極性溶媒を除去する」とは、完全に非極性溶媒を除去しなくても構わないが、プロセス内への混入防止の観点から完全に非極性溶媒を除去することが好ましい。
更には、本発明においては、非極性溶媒相から除去した非極性溶媒を前記抽出工程に戻す工程を含んでいるのが、リサイクルの点で好ましい。
【００６７】
以下、図面を参照して、本発明をより詳細に説明するが、本発明はこれに限定されるものではない。
図１において、１は原料槽、２は触媒調製槽、３は反応器を表す。原料槽１から供給された原料、及び予め触媒調製槽２で調製された触媒は、反応器３において混合され、反応器３中で脱水素反応が行われる。
反応器３での反応後、反応液は、蒸留塔４に送られ、ここで生成物であるカルボニル化合物と、その他の化合物とに分離する。
即ち、蒸留塔４の上側からカルボニル化合物を抜き出し、下側から未反応原料（アルコール）、触媒、及び、５価の有機リン化合物等を抜き出す（ｓｔｒｅａｍ１）。
尚、反応器が流通型の反応器である場合には、随時反応液は蒸留塔４に送られる。
【００６８】
次いで、抜き出されたｓｔｒｅａｍ１は、再度反応器３に戻される。しかしながら、連続運転を行うにあたり高沸点の副生成物が反応器３、蒸留塔４及びｓｔｒｅａｍ１に蓄積された場合は、運転管理上反応液の一部をパージする必要がある。その際には、蒸留塔４の下側から抜き出されたｓｔｒｅａｍ１を第二の蒸留塔５へ送り、ここで原料アルコール類と、その他の化合物とに分離する。分離させられたアルコール類は、再度原料アルコールとして使用することができ、図１においては、蒸留塔５の上側から反応器へと送られている。
第二の蒸留塔５から抜き出されたその他の化合物は（ｓｔｒｅａｍ２）、抽出分離塔６に送られる。
この実施態様では、抽出分離塔中に、非極性溶媒と極性有機溶媒相とが入れられており、非極性溶媒と極性有機溶媒相を用いた抽出が同時に行われる。
【００６９】
抽出後、５価の有機リン化合物が多く分配された極性有機溶媒相と、ルテニウム錯体触媒が多く分配された非極性溶媒相とに分離させる。即ち、抽出分離塔６の下側から、５価の有機リン化合物が多く分配された極性有機溶媒相を抜き出し、廃棄等され、またルテニウム錯体触媒が多く分配された非極性溶媒相を任意の第三の蒸留塔７へ送る。
第三の蒸留塔７において、抽出に用いた非極性溶媒と、触媒及び触媒に配位していない配位子とに分離する。留去した非極性溶媒は抽出分離塔６に送られ（ｓｔｒｅａｍ３）、抽出に再使用される。また、蒸留塔７から抜き出された触媒は、ｓｔｒｅａｍ１の大循環ラインに戻される。
【００７０】
本発明においては、上記の通り、ルテニウム錯体は分離されるが、図１のｓｔｒｅａｍ１の液を用いて抽出した場合（アルコールを抜き出さずに抽出した場合）、ルテニウム錯体触媒と５価の有機リン化合物の溶解性が非常に近いため、ルテニウム錯体触媒及び高沸物質である５価の有機リン化合物を工業的に充分な量に分配することが困難である。そこで、生成物としてのカルボニル化合物や原料としてのアルコールを除去した後の液（図１のｓｔｒｅａｍ２）を抽出にかけることが本発明においては重要である。
これによって、相対的に有機リン配位子の濃度が上がり、ルテニウム錯体触媒の配位子交換が促がされて、５価の有機リン化合物とルテニウム錯体触媒の溶解性に差がつき、ひいては両者を工業的有利に分離できるものと類推される。
【００７１】
【実施例】
以下、実施例により本発明を更に詳細に説明するが、本発明の要旨を越えない限り以下の実施例に限定されるものではない。
実施例１
［ルテニウム錯体触媒の合成］
容積５００ｍＬのＳＵＳ製オートクレーブにトリス（アセチルアセトナト）ルテニウム４０．６ｇ、及び６モル倍に相当するトリオクチルホスフィン２２５．１ｇを導入した。水素圧０．８ＭＰａで水素ガスを導入しながら、１５０℃で３時間加熱処理し、ルテニウム金属に配位していないトリオクチルホスフィンを含むビス（アセチルアセトナト）ビス（トリオクチルホスフィン）ルテニウム錯体を２６５．７ｇ合成した。
【００７２】
［カルボニル化合物の合成］
攪拌器、冷却管、温度測定装置、サンプリング口を設置した３００ｍＬの４つ口フラスコ中に１，４−ブタンジオール７０．４０ｇ、ガンマブチロラクトン３０．２８ｇを加え、２０３℃まで加熱昇温した。そこに上記調製法で合成したルテニウム触媒を０．６４ｇ加え、２０３℃で５時間加熱攪拌を行った。反応液のガスクロマトグラフィー（ＧＣ）サンプルには、生成物であるガンマブチロラクトンが７０ｗｔ％含有されていた。
【００７３】
［ルテニウム錯体触媒の分離１］
上記「有機リン化合物を配位子として有するルテニウム錯体触媒の存在下にアルコール類を脱水素してカルボニル化合物を生成させた反応液」を４０ｍｍＨｇ、１８０℃で４時間減圧蒸留し、「反応液からアルコール類及びカルボニル類を除去した液」を合成した。「反応液からアルコール類及びカルボニル類を除去した液」には、生成物であるガンマブチロラクトンが１．４ｗｔ％、原料である１，４−ブタンジオールが１６ｗｔ％含有されていた。アルコール及びカルボニル類を除去した液：ヘプタン：１，４−ブタンジオールをそれぞれ質量比で１：１：５．５の割合で添加し、室温下で２０分攪拌した。その後３０分静置した後、抽出分離を行った。
２液相におけるルテニウム濃度及び５価の有機リン化合物の濃度を、それぞれ蛍光Ｘ線（ＸＲＦ）、及び、ガスクロマトグラフィー（ＧＣ）により算出した。なお、ＧＣ分析は内部標準法により定量した。
【００７４】
2004033798.tif 000004
【００７５】
実施例２
実施例１のヘプタン相と１，４−ブタンジオール相による２液相分離において、ヘプタン相を０．４７９８ｇ分取し、更に１２０℃で蒸留し、ヘプタンを０．３３３７ｇ回収し、ルテニウム錯体触媒を含有する液を０．１４６１ｇ得た。
【００７６】
比較例１
［ルテニウム錯体触媒の分離２］
実施例１に記載の「反応液からアルコール類及びカルボニル類を除去した液」とヘプタン及び水をそれぞれ質量比で１：１：５．５の割合で添加し、室温下で２０分攪拌した。その後３０分静置した後、抽出分離を行った。２液相におけるルテニウム濃度及び５価の有機リン化合物の濃度はそれぞれＸＲＦ、ＧＣにより算出したところ、ルテニウム金属と５価の有機リン化合物を効果的に分離できないことが判った。なお、ＧＣ分析は内部標準法により定量した。
【００７７】
2004033798.tif 000005
【００７８】
比較例２
［ルテニウム錯体触媒の分離３］
実施例１に記載の反応液（即ち、アルコール類及びカルボニル類を除去していないもの）、ヘプタン及び１，４−ブタンジオールをそれぞれ質量比で１：１．２：１の割合で添加し、室温下で２０分攪拌した。その後３０分静置した後、抽出分離を行った。２液相におけるルテニウム濃度及び５価の有機リン化合物の濃度はそれぞれＸＲＦ、ＧＣにより算出したところ、ルテニウム金属と５価の有機リン化合物が効果的に分離できないことが判った。なお、ＧＣ分析は内部標準法により定量した。
【００７９】
2004033798.tif 000006
【００８０】
【発明の効果】
本発明は、アルコール類を脱水素して得られる反応液から、反応液中に含有される５価の有機リン化合物を効率的に抜き出し、且つルテニウム錯体を工業的有利に分離、回収することが可能である。
【図面の簡単な説明】
【図１】本発明のルテニウム錯体触媒の分離方法を説明するフローチャートである。
【図１】
2004033798.tif 000007